(57)【要約】【課題】安全に取り付けが出来、しかも着脱が容易である照明器具を提供する。【解決手段】メンテナンス等で照明部１０を取り外す場合には、拡散カバー３０を予め取り外した状態で、保持位置から、ボルトＢＴを緩め、保持部２１の長孔２１ｃに沿った方向に保持部２１を移動させると、退避位置となり、照明部１０の重力加速度方向下方から保持部２１の係止部２１ｂが離脱するので、照明部１０を固定枠２０内から、天井ＣＬの法線方向に沿って取り外すことができる。一方、メンテナンス終了後に照明部１０を装着する場合には、固定枠２０内に照明部１０を配置した上で、退避位置から保持位置へと保持部２１を移動させる。これにより照明部１０の重力加速度方向下方に保持部２１の係止部２１ｂが位置するようになるので、照明部１０を保持部２１で支持することができる。【選択図】図６
2014149972.tif 000002
【特許請求の範囲】
【請求項１】
造営材に固定された固定枠と、
前記固定枠に対して、照明光を出射する照射面を露出するようにして取り付けられた照明部と、を有する照明器具において、
前記固定枠は、前記照明部を着脱自在に保持する保持部を有し、前記固定枠と前記照明部との間には隙間があり、前記保持部により保持された前記照明部は、前記隙間の範囲内で前記固定枠に対して変位可能となっていることを特徴とする照明器具。
【請求項２】
前記保持部は、前記照明部を保持する保持位置と、前記照明部から退避する退避位置との間で可動となっており、前記退避位置において前記照明部を前記固定枠から着脱できるようになっていることを特徴とする請求項１に記載の照明器具。
【請求項３】
前記保持部は、前記固定枠に対して回動可能となっていることを特徴とする請求項２に記載の照明器具。
【請求項４】
前記保持部は、前記固定枠に対して直線的に移動可能となっていることを特徴とする請求項２に記載の照明器具。
【請求項５】
前記保持部の移動を抑制する抑制手段を設けたことを特徴とする請求項２〜４のいずれかに記載の照明器具。
【請求項６】
前記保持部と前記照明部のうち一方に磁石が設けられ、他方に磁性体が設けられ、前記磁石と前記磁性体とを吸着させることで前記照明部は前記固定枠に取り付けられることを特徴とする請求項１〜５のいずれかに記載の照明器具。
【請求項７】
前記固定枠は、前記照明部の出射面側に配置された拡散カバーを保持しており、前記拡散カバーは、前記出射面から出射した光線を透過する透過部と、前記透過部の周囲に設けられ、前記透過部よりも透過率の低い周辺部とを有することを特徴とする請求項１〜６のいずれかに記載の照明器具。
【請求項８】
前記固定枠の内部開口部の１辺の長さをａ、前記照明部外形１辺の長さをｂ,前記照明部の出射面と前記拡散カバーの周縁部の重複寸法をｃとすると，ｃ≧（ａ−ｂ）／２が成り立つことを特徴とする請求項７に記載の照明器具。
【請求項９】
前記固定枠もしくは前記造営材と、前記照明部との間に弾性体を配置しており、前記固定部に前記照明部を取り付けた状態で前記弾性体が圧縮されることを特徴とする請求項１〜８のいずれかに記載の照明器具。
【請求項１０】
前記照明部は,導光板と少なくとも１つの光源を有し,前記光源は導光板の側端面に対向して配置されていることを特徴とする請求項１〜９のいずれかに記載の照明器具。
【請求項１１】
前記照明部は,有機ＥＬ照明で構成されていることを特徴とする請求項１〜９のいずれかに記載の照明器具。
【発明の詳細な説明】
【技術分野】
【０００１】
本発明は、照明器具に関し、例えば、住宅や店舗等の空間演出で使用される照明器具に用いられると好適な照明器具に関する。
【背景技術】
【０００２】
近年,住空間やオフィスなどの照明として、影ができにくく優しい光を放出する面発光照明器具が用いられるようになってきた。特に導光板を用いるいわゆるエッジライト方式の照明器具や、有機ＥＬを用いた照明器具は、器具自体を薄型化でき,大きな設置スペースを取らないので,天井や壁等に直接取り付ける用途で広く用いられる傾向がある。しかるに、このような用途に用いる照明器具では、落下に対する対策が必要になり,安全性が高く,確実に取り付けできる方法が求められている。
【０００３】
これに対し、不用意な落下を防止すべく照明器具をボルトなどで天井にしっかり固定することが考えられる。しかしながら、照明器具を取り付けたボルトが天井に露出した状態では、インテリアデザインが損なわれるという問題がある。
【０００４】
そこで、特許文献１には、天井の取り付け面に取り付けた取り付けベースに対して、面発光照明部を保持する保持枠をビスにて取り付けた構成が開示されている。特許文献１では、ビスを隠す化粧パネルを設けているので、デザイン性を損なうことがないとしている。
【先行技術文献】
【特許文献】
【０００５】
【特許文献１】特許第4915672号明細書
【発明の概要】
【発明が解決しようとする課題】
【０００６】
しかるに、特許文献１において、照明器具の確実な取り付けとデザイン性の確保については提案されているが、更に以下のような問題がある。天井などの造営材は、一般的に木材や石膏ボードなどで構成されており、金属板とは異なり平面性を出しにくいため、照明器具を取り付ける為の取り付けベースを造営材に突き当てて設置する際,この取り付けベースが取付面にならって歪んでしまい,ネジ孔の位置がズレたり,ビスの挿入方向が不適切となる恐れがあり,これによりビスによる固定を確実に行えない可能性がある。これに対し、取り付けベースの剛性を高くして歪まないようにすることもできるが、その代償として自重が顕著に増加するから、造営材の負担が大きくなるという問題がある。
【０００７】
又、特に造営材が木材などの場合、吸湿などによって取付面が膨張・収縮するため,経時劣化により取り付け面の歪み等を招く。この場合、メンテナンス等で照明器具を取り外した際に、ネジ孔の位置がずれてしまうことで再組込み不可能となる恐れもある。加えて、天井面へのビス固定は,照明部を一方の手で支えながら、他方の手で持った工具でビスを締め付ける必要があり作業自体が困難である。
【０００８】
本発明は、上記の事情に鑑みてなされたものであって、安全に取り付けが出来、しかも着脱が容易である照明器具を提供することを目的とする。
【課題を解決するための手段】
【０００９】
請求項１に記載の照明器具は、
造営材に固定された固定枠と、
前記固定枠に対して、照明光を出射する照射面を露出するようにして取り付けられた照明部と、を有する照明器具において、
前記固定枠は、前記照明部を着脱自在に保持する保持部を有し、前記固定枠と前記照明部との間には隙間があり、前記保持部により保持された前記照明部は、前記隙間の範囲内で前記固定枠に対して変位可能となっていることを特徴とする。
【００１０】
本発明によれば、前記保持部により、前記固定枠に対して前記照明部を着脱自在に保持するので、容易に前記照明部の取り付けが可能になり、作業の負担が軽減される。又、前記保持部により保持された前記照明部は、前記隙間の範囲内で前記固定枠に対して変位可能となっているので、造営材の経時劣化等により，それに倣って前記固定枠が変形したような場合にも、前記隙間を設けることで前記照明部への干渉を回避して変形や歪みを阻止することができ、またメンテナンス等のために前記照明部を取り外した後にも、前記隙間を設けたおかげで前記固定枠への再度の組み付けも容易に行える。尚、前記隙間は、０．５〜５ｍｍであると好ましい。「造営材」とは、建物や家屋などの構造材をいい、一般的には木材や石膏ボードなどで構成される。
【００１１】
請求項２に記載の照明器具は、請求項１に記載の発明において、前記保持部は、前記照明部を保持する保持位置と、前記照明部から退避する退避位置との間で可動となっており、前記退避位置において前記照明部を前記固定枠から着脱できるようになっていることを特徴とする。
【００１２】
本発明によれば、前記保持部を前記退避位置に移動させることで、前記照明部を前記固定枠から着脱できるようになっているので、ねじ締結によらずに前記照明部の取り付けが可能であり、これにより作業の負担が軽減される。又、前記保持部が前記保持位置に移動することで、前記照明部を確実に保持できる。
【００１３】
請求項３に記載の照明器具は、請求項２に記載の発明において、前記保持部は、前記固定枠に対して回動可能となっていることを特徴とする。
【００１４】
前記保持部を前記退避位置に回動させることで、前記照明部を前記固定枠から着脱できるようになる。
【００１５】
請求項４に記載の照明器具は、請求項２に記載の発明において、前記保持部は、前記固定枠に対して直線的に移動可能となっていることを特徴とする。
【００１６】
前記保持部を前記退避位置に直線的に移動させることで、前記照明部を前記固定枠から着脱できるようになる。
【００１７】
請求項５に記載の照明器具は、請求項２〜４のいずれかに記載の発明において、前記保持部の移動を抑制する抑制手段を設けたことを特徴とする。
【００１８】
前記抑制手段により、前記保持部が前記保持位置から不用意に移動することを抑制できるので、前記照明部の確実な保持を実現できる。
【００１９】
請求項６に記載の照明器具は、請求項１に記載の発明において、前記保持部と前記照明部のうち一方に磁石が設けられ、他方に磁性体が設けられ、前記磁石と前記磁性体とを吸着させることで前記照明部は前記固定枠に取り付けられることを特徴とする。
【００２０】
前記磁石と前記磁性体とを吸着させることにより、前記照明部を前記固定枠に容易に取り付けることができる。
【００２１】
請求項７に記載の照明器具は、請求項１〜６のいずれかに記載の発明において、前記固定枠は、前記照明部の出射面側に配置された拡散カバーを保持しており、前記拡散カバーは、前記出射面から出射した光線を透過する透過部と、前記透過部の周囲に設けられ、前記透過部よりも透過率の低い周辺部とを有することを特徴とする。
【００２２】
前記透過部の透過率が比較的高いので、前記出射面から出射された光線を透過して、明るい照明を実現できる。一方、前記周辺部の透過率は比較的低いので、前記照明部を保持する前記保持部が見えにくく、デザイン性を確保できる。尚、前記透過部の透過率は８０％以上であると好ましく、前記周辺部の透過率は３０％以下であると好ましい。
【００２３】
請求項８に記載の照明器具は、請求項７に記載の発明において、前記固定枠の内部開口部の１辺の長さをａ、前記照明部外形１辺の長さをｂ,前記照明部の出射面と前記拡散カバーの周縁部の重複寸法をｃとすると，ｃ≧（ａ−ｂ）／２が成り立つことを特徴とする。
【００２４】
ｃ≧（ａ−ｂ）／２が成り立つようにすることで、前記固定部に対して前記照明部が変位しても、前記照明部を保持する前記保持部を前記周辺部で覆うようにできるから、デザイン性を確保できる。
【００２５】
請求項９に記載の照明器具は、請求項１〜８のいずれかに記載の発明において、前記固定枠もしくは前記造営材と、前記照明部との間に弾性体を配置しており、前記固定部に前記照明部を取り付けた状態で前記弾性体が圧縮されることを特徴とする。
【００２６】
前記弾性体が圧縮された際の反力に起因した摩擦力によって、前記照明部の変位が抑制されるので、地震や、道路・電車等の周囲環境からの振動による無用ながたつきが生じない。
【００２７】
請求項１０に記載の照明器具は、請求項１〜９のいずれかに記載の発明において、前記照明部は,導光板と少なくとも１つの光源を有し,前記光源は導光板の側端面に対向して配置されていることを特徴とする。
【００２８】
これにより、適切な面発光を実現できる。
【００２９】
請求項１１に記載の照明器具は、請求項１〜９のいずれかに記載の発明において、前記照明部は,有機ＥＬ照明で構成されていることを特徴とする。
【００３０】
これにより、適切な面発光を実現できる。
【発明の効果】
【００３１】
本発明によれば、安全に取り付けが出来、しかも着脱が容易である照明器具を提供することができる。
【図面の簡単な説明】
【００３２】
【図１】照明器具１００の鉛直方向断面図である。
【図２】光源と導光板のみを示す断面図である。
【図３】固定枠を重力加速度方向下方から見た斜視図である。
【図４】図３の一部を拡大して示す図である。
【図５】固定枠の保持部周辺を拡大して示す斜視図であり、退避位置を示す。
【図６】固定枠の保持部周辺を拡大して示す斜視図であり、保持位置を示す。
【図７】照明部１０と拡散カバー３０との関係を示す断面斜視図である。
【図８】本実施の形態にかかる固定枠と照明部の斜視図である。
【図９】別な実施の形態にかかる、固定枠の保持部周辺を拡大して示す斜視図であり、退避位置を示す。
【図１０】別な実施の形態にかかる、固定枠の保持部周辺を拡大して示す斜視図であり、保持位置を示す。
【図１１】更に別な実施の形態にかかる、固定枠の保持部周辺を拡大して示す斜視図であり、退避位置を示す。
【図１２】更に別な実施の形態にかかる、固定枠の保持部周辺を拡大して示す斜視図であり、保持位置を示す。
【図１３】更に別な実施の形態にかかる、固定枠の保持部周辺を拡大して示す斜視図であり、実際に照明部を保持した状態を示す。
【図１４】更に別な実施の形態にかかる固定枠と照明部の斜視図である。
【図１５】更に別な実施の形態にかかる、固定枠の保持部周辺を拡大して示す斜視図であり、退避位置を示す。
【図１６】更に別な実施の形態にかかる、固定枠の保持部周辺を拡大して示す斜視図であり、保持位置を示す。
【図１７】別な実施の形態にかかる、固定枠と拡散カバーの関係を示す斜視図である。
【図１８】更に別な実施の形態にかかる、固定枠と拡散カバーの関係を示す斜視図である。
【発明を実施するための形態】
【００３３】
以下に本発明の実施形態を、図面を参照して説明する。図１は、照明器具１００の鉛直方向断面図である。面発光する照射面を備えた照明器具１００は、例えば、屋内の天井ＣＬ等に取り付けられて、屋内照明として用いられると好適である。この照明器具１００は、図１においては模式的に示す略正方形状の固定枠２０と、照射面を露出するようにして固定枠２０の内側に配置された照明部１０とからなる。照明部１０は、図１に示すように、面発光する第１主面(照射面)１１、および、この第１主面に対向して略平行に延在する第２主面１２を備える正方形状の導光板１と、第１主面１１と第２主面１２とに交差する方向に延在し該導光板１の入射面１３となる一つの側面部に対向して配設される複数の発光素子２と、を備えて、発光素子２が射出する光を、導光板１内に導光して第１主面１１から射出するものである。
【００３４】
導光板１は、図１に示すように平板状であって、第１主面１１を露出するようにして、発光素子２と共にケース３に一体的に収容されて構成される。ケース３は、本体３ａと、本体３ａの４辺に取り付けられた断面がコ字状の抑え部３ｃとからなる。
【００３５】
発光素子２は、入射面１３の方向に照明光を射出する光源であればよく、例えば、線状の光源（冷陰極管）や入射面１３の長手方向に間隔をおいて配設する複数の点状光源（ＬＥＤ）を用いることができる。また、低消費電力で発光強度が高いＬＥＤを用いることが好ましい。ＬＥＤは、白色ＬＥＤや電球色ＬＥＤが用途によって選択される。また、白色ＬＥＤと電球色ＬＥＤ両方を用い、それぞれの発光量を制御することで調色機能を有することもできる。本実施形態では白色ＬＥＤを用いることとした。ここで、発光素子２に代えてＬＥＤ２として以後説明する。ＬＥＤ２は、ケース３の内側の側壁３ｂに取り付けられる基板ＳＴの長手方向（紙面に垂直な方向）に、直線的に略等間隔（例えば、約１０ｍｍピッチ）で複数配列されている。ＬＥＤ２と基板ＳＴとで光源を構成する。
【００３６】
ＬＥＤ２は、白色ＬＥＤであり、青色ＬＥＤと、青色ＬＥＤからの光に励起されて所定波長の励起光を発光する蛍光体（例えば、黄色蛍光体）を組み合わせて白色発光するものである。また、白色ＬＥＤは、赤色ＬＥＤ、青色ＬＥＤ、緑色ＬＥＤを組み合わせた高演色ＬＥＤを用いてもよい。高演色ＬＥＤを用いることにより、高い色再現性の必要な用途に好適な照明装置を実現することが可能である。
【００３７】
ケース３の側壁３ｂに固定される基板ＳＴは、例えば、入射面１３の長手方向の全幅程度の長さとされ、この基板ＳＴに複数のチップ型のＬＥＤ２を所定ピッチで搭載する。このように、基板ＳＴは、長手方向に一体とされるが、複数の基板に分け、それぞれを電気的に接続する構成としてもよい。基板２１は放熱性を良くするため、両面テープを併用し、ケース３の側壁３ｂに密着させることが好ましく、両面テープは熱伝導率の良いものを用いることが望ましい。ねじ(不図示)を使わず両面テープのみで固定しても良い。また、基板ＳＴは、照明装置外部に配置される電源回路（不図示）と配線により接続され、電気回路に設ける明るさ調整ボタンにより、ＬＥＤに流れる電流を調整することで、照明装置の明るさや発光色を調整可能である。尚、基板ＳＴと、導光板１の入射面１３との間にスペーサＳＰを配置して、ＬＥＤ２の発光面と入射面１３との間隔を精度良く調整しても良い。スペーサＳＰは、ＬＥＤ２の間に配置することが好ましい。
【００３８】
本実施の形態では、図１に示すように、ＬＥＤ２に対向する入射面１３は、導光板１の対向する１つの側面部となっているが、２つ或いは４つの側面部全てを入射面としても良い。但し、いずれかの側面部を入射面１３としない場合、入射面に対向する側面部（図２では対向面１４という）に反射テープ１５を貼り付けることが望ましい。これにより側面部から光が出射して照明に用いられないことを回避できる。
【００３９】
図２は、ＬＥＤ２から出射した光が導光板１内を導光する状態を示す模式図である。導光板１の第２主面１２上には、光路偏向手段として、例えば、拡散ドット１２ａがプリント等による付与されており、具体的には酸化チタン（ＴｉＯ2）、炭酸カルシウム（ＣａＣｏ3）、各種顔料系インク、または樹脂微粒子等からなるドットである。但し、同様な拡散ドットを印刷したフィルム（シート）を第２主面１２に貼ったり、または、スタンパーやレーザー加工等でドット状に凹部を作成しても良い。
【００４０】
第２主面１２上で、導光光量に従い、拡散ドット１２ａの密度が調整されると好ましい。例えば入射面１３から遠ざかるに従い、導光光量が低下するので、拡散ドット１２ａは、ＬＥＤ２から遠ざかるに従って、その密度が大きくなるように形成されると、出射光の照度分布の均一化を図れるので好ましい。密度を大きくするとは、面積一定でピッチを細かくする事と、ピッチは一定で印刷半径を大きくすることの双方を含む。両方同時に行っても良い。
【００４１】
図２を参照して、照明部１０の動作について説明する。ＬＥＤ２から出射して、導光板１の入射面１３から入射した光は、全反射しながら導光板１内を導光する。対向面１４に至った光は、ここで反射して逆方向に導光される。導光途中で、拡散ドット１２ａに入射した光は、種々の方向に拡散する。拡散ドット１２ａで下方に拡散された光は、対向する下面（第１主面１１）に向かい、全反射条件を満足する光は、さらに導光板１内を導光し続けるが、全反射条件から外れた光は、第１主面１１から外部へと射出され、後述する拡散カバー３０の透過部３０ａを透過して拡散され照明光となる。
【００４２】
次に固定枠２０について説明する。図３は、固定枠２０の斜視図である。図４は、図３の矢印VIで示す部位を拡大して示す図である。図５，６は、保持部の動作を示す斜視図である。固定枠２０は、鋼板等からなるプレスした４本のバー状の辺部材２０Ａと、ＳＵＳや鋼板等からなり比較的板厚が厚く剛性が高くされていて、一対の辺部材２０Ａの端部を直角に連結するＬ字状の連結部２０Ｂとを有し、比較的フレキシブルであるため、造営材である天井ＣＬに倣って不図示のボルト等により固定される。尚、固定枠２０に設けた切欠２０ｋを、図１の係合溝２０ａとして利用しても良い。連結部２０Ｂの角部に設けた円形開口２０ｍは、造営材としての天井ＣＬ（図１）への取り付けボルト挿通用の孔として用いることができる。
【００４３】
図５，６に示すように、固定枠２０は、金属板材からなる可動する保持部２１を設けている。保持部２１は、Ｌ字状の板材からなり、基部２１ａと、基部２１ａの端部からシフトし且つ直交するように延在する係止部２１ｂとからなる。基部２１ａは、長孔２１ｃを有しており、固定枠２０のねじ孔にねじ込まれた２本のねじＢＴにより、固定枠２０の連結部２０Ｂに対して固定されている。ねじＢＴを緩めることで、長孔２１ｃの範囲内で、保持部２１は固定枠２０に対して移動可能となっている。
【００４４】
図１に示すように、照明部１０の下方には、拡散カバー３０が配置されている。プラスチック製の拡散カバー３０は、照明部１０の出射面１１から出射した光線を透過する正方形状の透過部３０ａと、透過部３０ａの周囲に矩形枠状に設けられ、透過部３０ａよりも透過率の低い周辺部３０ｂとを有する。拡散カバー３０の周辺部は、透過率が低いので、照明部１０の周辺部が見えないように隠す機能を有する。
【００４５】
拡散カバー３０の対向する辺から上方に腕部３０ｃが延在している。腕部３０ｃの上端の鈎部３０ｄが、固定枠２０の側面に形成された係合溝２０ａに係合することで、固定枠２０に対して腕部３０ｃにより吊り下げられる形で、拡散カバー３０が取り付けられている。尚、拡散カバー３０の取り外しは、腕部３０ｃを押し開くように弾性変形させ、鈎部３０ｄが係合溝２０ａから離脱させて固定枠２０から遠ざければ良い。又、拡散カバー３０の装着は、これとは逆の手順で行えば良い。
【００４６】
図７は、照明部１０と拡散カバー３０との関係を示す断面斜視図である。図７において、固定枠２０に対して照明部１０をセンタリングした状態で、固定枠２０の内部開口部の１辺の長さをａ、照明部１０の外形１辺の長さをｂ,照明部１０の第１主面１１のうちケース３から露出した照射面と拡散カバー３０の周辺部３０ｂの重複寸法をｃ、固定枠２０と照明部１０との隙間をｄとすると、ｄ＝（ａ−ｂ）／２であるから、ｃ≧ｄ｛＝（ａ−ｂ）／２｝とすることで、照明部１０が固定枠２０に対して最大限変位しても、出射面１１から出射する光線を周辺部３０ｂが遮らないようにできる。一方、固定枠２０やケース３などは、周辺部３０ｂに隠されるので、デザイン性に優れる。
【００４７】
図８は、固定枠２０から照明部１０を取り外した状態で示す斜視図である。照明部１０のケース３の上面には、４つのシート状の弾性体（スポンジ含む）４０が接着されている。固定枠２０に照明部１０を取り付けた状態で、弾性体４０が天井ＣＬ（図１参照）に当接して圧縮変形することとなる。弾性体４０が圧縮された際の反力に起因した摩擦力によって、天井ＣＬに対する照明部１０の変位が抑制されるので、地震や道路・電車等の周囲環境からの振動による照明部１０の無用ながたつきが生じない。尚、固定枠２０と照明部１０との間に弾性体を設けても良い。
【００４８】
保持部２１が、図６に示す保持位置にあるときは、固定枠２０に対して照明部１０を保持することができる。メンテナンス等で照明部１０を取り外す場合には、拡散カバー３０を予め取り外した状態で、図６の保持位置から、ボルトＢＴを緩め、保持部２１の長孔２１ｃに沿った方向に保持部２１を移動させると、図５に示す退避位置となり、照明部１０の重力加速度方向下方から保持部２１の係止部２１ｂが離脱するので、照明部１０を固定枠２０内から、天井ＣＬの法線方向に沿って取り外すことができる。
【００４９】
一方、メンテナンス終了後に照明部１０を装着する場合には、照明部１０を、図３、４に示すごとく固定枠２０に取り付けられて重力方向下方にシフトするように延在した引っかけ部２０ｎに先にはめ込み、固定枠２０内に照明部１０を配置した上で、図５の退避位置から図６の保持位置へと保持部２１を移動させる。これにより照明部１０の重力加速度方向下方に保持部２１の係止部２１ｂが位置するようになるので、照明部１０を保持部２１で支持することができる。以上の作業は、作業者が一方の手で照明部３０を持ち上げ、他方の手で保持部２１を操作することで行えるので、着脱作業が容易になる。又、造営材に経時変化が生じたような場合でも、係止部２１ｂの保持には殆ど影響がなく、しかも弾性体４０が照明部１０の取り付け位置の変化を吸収するので、適切な取り付けを行うことができる。その後、抑制手段としてのボルトＢＴを締め付けることで、不用意な保持部２１の移動が阻止される。最後に、拡散カバー３０を取り付けることで、照明が可能になる。
【００５０】
図９，１０は、別な実施の形態にかかる図５，６と同様な斜視図である。本実施の形態では、板状の保持部２１Ａは、基部２１ａと、基部２１ａの端部からシフトした係止部２１ｂと、基部２１ａに形成された孔（不図示）を有する。この孔にボルトＢＴを挿通し、固定枠２０の連結部２０Ｂのねじ孔に螺合させることで、保持部２１Ａは固定枠２０に固定される。それ以外の構成は、上述した実施の形態と同様である。
【００５１】
保持部２１Ａが、図１０に示す保持位置にあるときは、固定枠２０に対して照明部１０を保持することができる。メンテナンス等で照明部１０を取り外す場合には、拡散カバー３０を予め取り外した状態で、図１０の保持位置から、ボルトＢＴを緩め、ボルトＢＴの軸線回りに保持部２１Ａを反時計回りに回動させると、図９に示す退避位置となり、照明部１０の重力加速度方向下方から保持部２１Ａの係止部２１ｂが離脱するので、照明部１０を固定枠２０内から、天井ＣＬの法線方向に沿って取り外すことができる。
【００５２】
一方、メンテナンス終了後に照明部１０を装着する場合には、照明部１０を、図３、４に示す引っかけ部２０ｎに先にはめ込み、固定枠２０内に照明部１０を配置した上で、図９の退避位置から図１０の保持位置へと保持部２１Ａを時計回りに回動させる。これにより照明部１０の重力加速度方向下方に保持部２１の係止部２１ｂが位置するようになるので、照明部１０を保持部２１Ａで支持することができる。その後、抑制手段としてのボルトＢＴを締め付けることで、不用意な保持部２１Ａの移動が阻止される。最後に、拡散カバー３０を取り付けることで、照明が可能になる。
【００５３】
図１１〜１３は、更に別な実施の形態にかかる図５，６と同様な斜視図である。本実施の形態では、保持部２１Ｂは、固定枠２０の切欠２０ｂから内側に突出するように配置され、基部２１ａと、基部２１ａの端部に取り付けられ照明部１０の厚さより広幅でＵ字状となった係止部２１ｂと、固定枠２０内で基部２１ａを照明部１０側に付勢するバネ２１ｄとからなる。保持部２１Ｂは，バネ２１ｄの付勢方向にのみ進退可能となっている。それ以外の構成は、上述した実施の形態と同様である。
【００５４】
保持部２１Ｂが、図１２又は図１３に示す保持位置にあるときは、係止部２１ｂが照明部１０の縁に係合して、固定枠２０に対して照明部１０を保持することができる。メンテナンス等で照明部１０を取り外す場合には、拡散カバー３０を予め取り外した状態で、図１２、１３の保持位置から、係止部２１ｂを固定枠２０側に片寄せすると、図１１に示す退避位置となり、照明部１０から保持部２１Ｂの係止部２１ｂが離脱するので、照明部１０を固定枠２０内から、天井ＣＬの法線方向に沿って取り外すことができる。
【００５５】
一方、メンテナンス終了後に照明部１０を装着する場合には、保持部２１Ｂの係止部２１ｂを固定枠２０側に片寄せしながら、固定枠２０内に照明部１０を配置し、係止部２１ｂから手を離すと、バネ２１ｄの付勢力により係止部２１ｂが飛び出して照明部１０に係合するようになるので、これにより照明部１０を保持部２１Ｂで支持することができる。最後に、拡散カバー３０を取り付けることで、照明が可能になる。尚、組み付けた状態で、係止部２１ｂと固定枠２０との間の隙間に、スペーサ（不図示）などを介在させることで、保持部２１ｂの不用意な退避を阻止するロック機構(抑制手段)を構成できる。
【００５６】
図１４は、更に別な実施の形態にかかる図８と同様な斜視図である。本実施の形態では、保持部として、照明部１０の上面四隅近傍に配置した板状の磁石２１Ｃを接着している。磁石２１Ｃは、強力なネオジム磁石であると好ましい。又，磁石２１Ｃに対応して、固定枠２０の四隅には、鋼材などの磁性体２１ｅが取り付けられている。磁性体２１ｅは連結部２０Ｂと一体で形成されていても良い。
【００５７】
磁石２１Ｃが磁性体２１ｅに吸着することで、固定枠２０に対して照明部１０を保持することができる。メンテナンス等の際には、磁石２１Ｃと磁性体２１ｅとの間の吸着力を超える力で、固定枠２０に対して照明部１０を重力加速度方向下方に引っ張ることで、照明部１０を取り外すことができる。
【００５８】
一方、メンテナンス終了後に照明部１０を装着する場合には、それぞれ磁石２１Ｃを磁性体２１ｅに合わせて、固定枠２０に向かって照明部１０を押し上げることで、磁石２１Ｃと磁性体２１ｅとの間の吸着力が有効に作用し、これにより照明部１０を固定枠２０に装着することができる。最後に、拡散カバー３０を取り付けることで、照明が可能になる。尚、図示していないが、照明部１０に固定された金属チェーンの端部についた鈎部を、固定枠２０に引っかけるなどして、照明部１０の不用意な脱落を防止することもできる。
【００５９】
図１５、１６は、更に別な実施の形態にかかる部分斜視図である。本実施の形態では、保持部として、バネスプリング２１Ｄを設けている。バネスプリング２１Ｄは、１本のバネ鋼材を曲げて形成され、具体的には照明部１０に係合するとともに弾性力を発揮する巻き部２１ｆと、巻き部２１ｆの両端から延在する一対の直線部２１ｇと、直線部２１ｇの端部で互いに逆方向を向いて曲げられた鈎部２１ｈとからなる。一方、固定枠２０には、中央の幅が広いスリット２０ｅとを有する。照明部１０と巻き部２１ｆの係合部は隙間を有し、照明部１０は固定枠２０との隙間分だけ変位することができる。
【００６０】
メンテナンス終了後に照明部１０を装着する場合には、図１５の矢印に示すように、バネスプリング２１Ｄの直線部２１ｇを把持して互いに近接させる。これにより、鈎部２１ｈが接近するので、固定枠２０のスリット２０ｅを通過できるようになる。スリット２０ｅを通過した後に、直線部２１ｇを把持から開放すると、図１６に示すように、先端の鈎部２１ｈが互いに離隔するようになり、スリット２１ｅの外側に位置するようになるので、これにより照明部１０をバネスプリング２１Ｄにより吊り下げ支持することができる。尚、照明部１０を取り外す場合、以上と逆の手順で行えば良い。
【００６１】
次に、別な実施の形態にかかる拡散カバー３０Ａについて説明する。図１７は、別な実施の形態にかかる固定枠２０と拡散カバー３０Ａとの関係を示す図８と同様な斜視図である。拡散カバー３０Ａは、透過部３０Ａの周囲の周辺部３０ｂの上面に、複数の板状の磁石３０ｅを接着している。磁石３０ｅは、フェライト系で厚みが１ｍｍから２ｍｍ程度のシート状のマグネットや強力なネオジム磁石を用いることができる。又、対向する二つの辺の中央に腕部３０ｃ’を配置している。腕部３０ｃ’は、上方に延在した後に曲がって、斜め下方に延在する係合部３０ｄ’を有する。磁石３０ｅも腕部３０ｃ’も、周辺部３０ｂに設けられているので、照明光を遮る恐れは低い。
【００６２】
これに対し，固定枠２０の辺部材２０Ａは、鋼板等の磁性体をプレスして形成されており、磁石３０ｅに対応して平面状の吸着部２０ｃ’と、腕部３０ｃ’に対応する位置で水平に吐出して設けられた掛け部２０ｄ（片方のみ図示）とを有する。
【００６３】
拡散カバー３０Ａを取り付ける場合、腕部３０ｃ’を曲げ戻すように弾性変形させながら、掛け部２０ｄに引っかけるようにする。腕部３０ｃ’の弾性変形が戻ることで、係合部３０ｄ’が掛け部２０ｄより下方に位置し、これにより腕部３０ｃ’が掛け部２０ｄより離脱しにくくなる。更に、磁石３０ｅが吸着部２０ｃ’にそれぞれ吸着することで、固定枠２０に対して拡散カバー３０Ａを確実に取り付けることができる。尚、拡散カバー３０Ａ側に磁性体を設け、固定枠２０側に磁石を設けても良いし、異極を対向させた磁石を両者に設けても良い。
【００６４】
図１８は、更に別な実施の形態にかかる、固定枠と拡散カバーの関係を示す斜視図である。図１８において、磁性体からなる固定枠２０は、辺部材２０Ａの下面全体がフラットな形状をしている。一方、拡散カバー３０Ｂの周辺部３０ｂ上面周囲には、全周にわたってテープ状の磁石３０ｅが貼り付けられている。拡散カバー３０Ｂのシート厚さは１ｍｍ以下であり、好ましくは０．３〜０．５ｍｍである。磁石３０ｅのシート厚は、１ｍｍから２ｍｍ程度である。又、固定枠２０に設けた孔２０ｐにループ状のナイロンあるいはポリプロピレン製のワイヤＷＲが取り付けられている(但し、図１８では外した状態で示されている)。更に、拡散カバー３０Ｂの一部に爪部３０ｆが形成されている。
【００６５】
取り外された拡散カバー３０Ｂを、固定枠２０に外周を合わせて押し上げると、固定枠２０の下面に磁石３０ｅが全周で吸着する。これにより、拡散カバー３０Ｂを確実に取り付けることができる。一方、取り外しの際には、把持した拡散カバー３０Ｂを重力加速度方向下方に引っ張ることで、容易に離脱させることができる。尚、本実施の形態の場合、拡散カバー３０Ｂは，磁力のみにより固定されているため、万が一の落下防止として、固定枠２０に取り付けたワイヤＷＲの下端側を爪部３０ｆに引っかけるようにする。これにより、不用意に拡散カバー３０Ｂが落下することがなくなる。
【産業上の利用可能性】
【００６６】
本発明は、明細書に記載の実施例に限定されるものではなく、他の実施例・変形例を含むことは、本明細書に記載された実施例や思想から本分野の当業者にとって明らかである。例えば、照明部としては光源と導光板を用いるものの他、有機ＥＬを板状にしたものを用いても良い。有機ＥＬについては、例えば特開２０１１−２４３４３１号公報に記載されたものを用いることができる。又、照明器具は点状に照射面を鉛直方向下方に向けて設置するばかりでなく、壁面に照射面を水平方向に向けて設置してもよい。
【符号の説明】
【００６７】
１            導光板
２            発光素子
３            ケース
３ａ            本体
３ｂ            側壁
３ｃ            抑え部
１０            照明部
１１            第１主面（出射面）
１２            第２主面
１２ａ            拡散ドット
１３            入射面
１４            対向面
１５            反射テープ
２０            固定枠
２０Ａ            辺部材
２０Ｂ            連結部
２０ａ            係合溝
２０ｂ            切欠
２０ｃ’吸着部
２０ｃ            腕部       
２０ｄ            掛け部
２０ｅ            スリット
２０ｍ  円形開口
２０ｎ  引っかけ部
２０ｐ  孔
２１            保持部
２１Ａ            保持部
２１Ｂ            保持部
２１Ｃ            磁石
２１Ｄ            バネスプリング
２１ａ            基部
２１ｂ            係止部
２１ｃ            長孔
２１ｄ            バネ
２１ｅ            磁性体
２１ｆ            巻き部
２１ｇ            直線部
２１ｈ            鈎部
３０            拡散カバー
３０Ａ、３０Ｂ        拡散カバー
３０ａ            透過部
３０ｂ            周辺部
３０ｃ            腕部
３０ｄ            鈎部
３０ｅ            磁石
３０ｃ’  腕部
３０ｄ’          係合部
３０ｆ  爪部
４０            弾性体
１００            照明器具
ＢＴ            ボルト
ＣＬ            天井
ＳＰ            スペーサ
ＳＴ            基板
ＷＲ  ワイヤ
【図１】
2014149972.tif 000003
【図２】
2014149972.tif 000004
【図３】
2014149972.tif 000005
【図４】
2014149972.tif 000006
【図５】
2014149972.tif 000007
【図６】
2014149972.tif 000008
【図７】
2014149972.tif 000009
【図８】
2014149972.tif 000010
【図９】
2014149972.tif 000011
【図１０】
2014149972.tif 000012
【図１１】
2014149972.tif 000013
【図１２】
2014149972.tif 000014
【図１３】
2014149972.tif 000015
【図１４】
2014149972.tif 000016
【図１５】
2014149972.tif 000017
【図１６】
2014149972.tif 000018
【図１７】
2014149972.tif 000019
【図１８】
2014149972.tif 000020